【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
光ファイバを保持する光ファイバ保持部と、
前記光ファイバから出射した光ビームを反射させて光ディスクに照射すると共に、該光ディスクで反射された反射光ビームを通過させ受光素子に導くプリズムと、
を備えた光ピックアップであって、
前記光ファイバ保持部と前記プリズムは、ガラスあるいはプラスチックを用いて型によって光学部品として一体成型されている、
ことを特徴とする光ピックアップ。
【請求項２】
前記光ディスクに対向してアームが設けられ、前記光学部品は前記アームに取着されていることを特徴とする請求項１記載の光ピックアップ。
【請求項３】
前記光ファイバ保持部は、第１ブロック部と、前記第１ブロック部が前記光ディスクに臨む前記第１ブロック部箇所に前記光ディスクと平行に設けられた平坦面と、前記平坦面に前記光ディスク側に開放状に形成された凹溝とを含んで構成されていることを特徴とする請求項１記載の光ピックアップ。
【請求項４】
前記凹溝は断面がＶ字状に形成されていることを特徴とする請求項１記載の光ピックアップ。
【請求項５】
前記光ファイバはその断面がコアとクラッドを含んで構成され、前記光ファイバ保持部と前記プリズムとの間の前記光学部品箇所には、前記光ファイバの先端の前記クラッドの一部に当接可能な当接面が設けられていることを特徴とする請求項１記載の光ピックアップ。
【請求項６】
前記プリズムは、前記光ファイバから出射した光ビームを反射させて光ディスクに照射すると共に、該光ディスクで反射された反射光ビームを通過させる外面を有し、前記外面は前記光ビームを収束あるいは発散させる自由曲面で形成されていることを特徴とする請求項１記載の光ピックアップ。
【請求項７】
前記光ディスクの半径方向に移動されるアームが前記光ディスクに対向して設けられ、前記受光素子が設けられた板状のチップが前記アームの先部に取着され、前記光学部品は前記チップ上に取着されていることを特徴とする請求項１記載の光ピックアップ。
【請求項８】
光ファイバを保持する光ファイバ保持部と、
前記光ファイバから出射した光ビームを反射させて光ディスクに照射すると共に、該光ディスクで反射された反射光ビームを通過させ受光素子に導くプリズムとを備え、
前記光ファイバ保持部と前記プリズムは、ガラスあるいはプラスチックを用いて型によって一体成型されている、
ことを特徴とする光学部品。
【請求項９】
前記光ファイバ保持部は、第１ブロック部と、前記第１ブロック部が前記光ディスクに臨む前記第１ブロック部箇所に前記光ディスクと平行に設けられた平坦面と、前記平坦面に前記光ディスク側に開放状に形成された凹溝とを含んで構成されていることを特徴とする請求項８記載の光学部品。
【請求項１０】
前記凹溝は断面がＶ字状に形成されていることを特徴とする請求項８記載の光学部品。
【請求項１１】
前記光ファイバはその断面がコアとクラッドを含んで構成され、前記光ファイバ保持部と前記プリズムとの間の前記光学部品箇所には、前記光ファイバの先端の前記クラッドの一部に当接可能な当接面が設けられていることを特徴とする請求項８記載の光学部品。
【請求項１２】
前記プリズムは、前記光ファイバから出射した光ビームを反射させて光ディスクに照射すると共に、該光ディスクで反射された反射光ビームを通過させる外面を有し、前記外面は前記光ビームを収束あるいは発散させる自由曲面で形成されていることを特徴とする請求項８記載の光学部品。
【請求項１３】
回転駆動される光ディスクに対し記録および／または再生用の光ビームを照射し、前記光ディスクで反射された反射光ビームを検出する光ピックアップを有する光ディスク装置であって、
前記光ピックアップは、
光ファイバを保持する光ファイバ保持部と、
前記光ファイバから出射した光ビームを反射させて前記光ディスクに照射すると共に、該光ディスクで反射された反射光ビームを通過させ受光素子に導くプリズムとを備え、
前記光ファイバ保持部と前記プリズムは、ガラスあるいはプラスチックを用いて型によって光学部品として一体成型されている、
ことを特徴とする光ディスク装置。
【手続補正２】
【補正対象書類名】明細書
【補正対象項目名】発明の名称
【補正方法】変更
【補正の内容】
【発明の名称】光ピックアップおよび光学部品並びに光ディスク装置
【手続補正３】
【補正対象書類名】明細書
【補正対象項目名】０００１
【補正方法】変更
【補正の内容】
【０００１】
本発明は、光ディスクに信号の記録や再生を行う光ディスク装置に用いられる光ピックアップおよび光学部品並びに光ディスク装置に関する。
【手続補正４】
【補正対象書類名】明細書
【補正対象項目名】０００４
【補正方法】変更
【補正の内容】
【０００４】
上記目的を達成するために本発明は、光ファイバを保持する光ファイバ保持部と、前記光ファイバから出射した光ビームを反射させて光ディスクに照射すると共に、該光ディスクで反射された反射光ビームを通過させ受光素子に導くプリズムとを備えた光ピックアップであって、前記光ファイバ保持部と前記プリズムは、ガラスあるいはプラスチックを用いて型によって光学部品として一体成型されていることを特徴とする。
また、本発明は、光ファイバを保持する光ファイバ保持部と、前記光ファイバから出射した光ビームを反射させて光ディスクに照射すると共に、該光ディスクで反射された反射光ビームを通過させ受光素子に導くプリズムとを備え、前記光ファイバ保持部と前記プリズムは、ガラスあるいはプラスチックを用いて型によって一体成型されていることを特徴とする。
また、本発明は、回転駆動される光ディスクに対し記録および／または再生用の光ビームを照射し、前記光ディスクで反射された反射光ビームを検出する光ピックアップを有する光ディスク装置であって、前記光ピックアップは、光ファイバを保持する光ファイバ保持部と、前記光ファイバから出射した光ビームを反射させて前記光ディスクに照射すると共に、該光ディスクで反射された反射光ビームを通過させ受光素子に導くプリズムとを備え、前記光ファイバ保持部と前記プリズムは、ガラスあるいはプラスチックを用いて型によって光学部品として一体成型されていることを特徴とする。
【手続補正５】
【補正対象書類名】明細書
【補正対象項目名】０００７
【補正方法】変更
【補正の内容】
【０００７】
以下、本発明による光ピックアップ及び光学部品並びに光ディスク装置の実施の形態を図面に基づいて詳細に説明する。
図１は本発明の実施例１における光ピックアップを組み込んだ光ディスク装置の構成図、図２は、固定部５０Ｂおよび信号処理回路９５の構成を示すブロック図である。
図１に示すように、光ディスク装置９０は、モータ３０、光ピックアップ５０、信号処理回路９５、シャーシ９９などを有している。
モータ３０は、スピンドルモータで構成され、信号処理回路９５から供給されるモーター駆動信号Ｓｍに基づいて光ディスク８０を所定の回転速度（例えば線速度一定、あるいは、角速度一定）で回転させる。
光ピックアップ５０は、互いに離間して設けられた光ヘッド５０Ａおよび固定部５０Ｂを備えている。
光ヘッド５０Ａは、光ファイバ７１からの光ビームを光ディスク８０に集光すると共に、光ディスク８０で反射した反射光ビームを受光して受光信号Ｓｐを生成し、この受光信号Ｓｐを信号線７９を介して信号処理回路９５に供給する。
光ヘッド５０Ａは、後述するようにアーム７２に取着され、アーム７２がアクチュエータ４５によって動かされることにより光ディスク８０の半径方向（トラッキング方向）に移動される。
固定部５０Ｂは、シャーシ９９に取り付けられて固定され、光ビームを光ファイバ７１を介して光ヘッド５０に供給する。
信号処理回路９５は、信号線７９からの受光信号Ｓｐに基づいて光ディスク８０の記録情報を検出し、当該記録情報を信号Ｓｏとして出力する。